(57)【特許請求の範囲】
【請求項１】
画面に画像を表示する画像再生装置と、
画像を含むテレビ放送信号と私的通信信号に含まれ画像を含む受信信号とを受信し、双方の画像を、前記画面に同時に表示する制御装置とを、備え、
前記制御装置が、
単一の通信回線に多重化された前記テレビ放送信号と前記私的通信信号とを受信し、多重化された双方の信号を分離することにより、前記単一の通信回線から前記テレビ放送信号と前記私的通信信号の前記受信信号とを取り出す信号分離装置を、備える画像表示装置。
【請求項２】
前記私的通信信号が前記受信信号に加えて送信信号を含む双方向通信信号であり、
前記制御装置が、
前記送信信号を前記単一の通信回線に多重化して送信する信号混合装置を、さらに備える請求項１に記載の画像表示装置。
【請求項３】
音声再生装置を、さらに備え、
前記私的通信信号は前記受信信号に音声を含むとともに前記受信信号に加えて着信を報知する着信信号を含んでおり、
前記制御装置が、
前記着信信号を検出する着信検出部と、
前記着信検出部が前記着信信号を検出すると、これに応答して、前記私的通信信号の前記受信信号に含まれる音声を、前記テレビ放送信号に含まれる音声よりも高い強度で、前記音声再生装置へ出力する音声混合装置とを、備える請求項１に記載の画像表示装置。
【請求項４】
前記私的通信信号が前記受信信号に加えて着信を報知する着信信号を含んでおり、
前記制御装置が、
前記着信信号を検出する着信検出部と、
前記テレビ放送信号の画像を前記画面に表示しているときに前記着信検出部が前記着信信号を検出すると、これに応答して、双方の画像を前記画面に同時に表示する画像混合装置とを、備える請求項１に記載の画像表示装置。
【請求項５】
前記画像混合装置は、
前記着信検出部が前記着信信号を検出すると、これに応答して、前記テレビ放送信号の画像の一部領域を前記私的通信信号の前記受信信号の画像に置き換える形式で、双方の画像を前記画面に同時に表示する請求項４に記載の画像表示装置。
【請求項６】
前記画像混合装置は、
前記着信検出部が前記着信信号を検出すると、これに応答して、前記画面の中で異なる大きさに規定される二つの画像領域に前記双方の画像をそれぞれ配置して表示するとともに、前記二つの画像領域の中の最大のものに、前記私的通信信号の前記受信信号の画像を配置する請求項４に記載の画像表示装置。
【請求項７】
画面に画像を表示する画像再生装置と、
画像を含むテレビ放送信号と私的通信信号に含まれ画像を含む受信信号とを受信し、双方の画像を、前記画面に同時に表示する制御装置とを、備え、
前記制御装置が、
前記テレビ放送信号に関する情報、または、前記私的通信信号に関する情報を、文字で表現する文字信号を生成する表示文字生成部と、
前記文字を、前記画面の中に設定された文字表示位置において、前記画面に表示される前記テレビ放送信号または前記私的通信信号の前記受信信号の画像に重ねて表示する画面合成部と、
前記画面に表示される前記画像の中で、動きの少ない部分を前記文字表示位置として決定する表示位置決定部とを、備える画像表示装置。
【請求項８】
前記制御装置が、
前記テレビ放送信号に関する情報、または、前記私的通信信号に関する情報を、文字で表現する文字信号を生成する表示文字生成部と、
前記文字を、前記画面の中に設定された文字表示位置において、前記画面に表示される前記テレビ放送信号または前記私的通信信号の前記受信信号の画像に重ねて表示する画面合成部と、
前記画面に表示される前記画像の中で、別の文字のない部分を前記文字表示位置として決定する表示位置決定部とを、備える請求項１に記載の画像表示装置。
【請求項９】
前記制御装置が、
前記文字表示位置での前記画像の色との対比が明瞭な色を前記文字の色として決定する文字配色決定部を、さらに備え、
前記表示文字生成部は、前記文字配色決定部が決定した色で前記文字を生成する、請求項７または請求項８に記載の画像表示装置。
【請求項１０】
前記私的通信信号が、前記受信信号に加えて送信信号を含む双方向通信信号であり、前記受信信号と前記送信信号とがいずれも画像を含んでおり、
前記制御装置は、
前記受信信号の画像、前記送信信号の画像、および、前記テレビ放送信号の画像を、前記画面に同時に表示する、請求項１に記載の画像表示装置。
【請求項１１】
前記受信信号および前記送信信号の双方が、音声を含んでおり、
前記制御装置が、
前記受信信号の音声と前記送信信号の音声の強度を比較する比較処理部と、
前記比較処理部の比較の結果にもとづいて、前記受信信号および前記送信信号の中で前記強度の高い方の信号に属する画像を他方の信号よりも大きく前記画面に表示する変更制御部とを、備える請求項１０に記載の画像表示装置。
【請求項１２】
画面に画像を表示する画像再生装置と、
画像を含むテレビ放送信号と私的通信信号に含まれ画像を含む受信信号とを受信し、双方の画像を、前記画面に同時に表示する制御装置とを、備え、
前記私的通信信号が、前記受信信号に加えて送信信号を含む双方向通信信号であり、
前記制御装置は、
操作者の操作にもとづいて文字を入力する入力操作部と、
入力された文字群を前記画面に表示する文字表示部と、
前記画面に表示されている前記文字群の中で、前記入力部で入力されつつある文字を含む一部を、拡大して表示させる拡大表示部と、
入力された前記文字群を表現する文字信号を、前記送信信号として送信する送信部と、
を備える画像表示装置。
【請求項１３】
画面に画像を表示する画像再生装置と、
画像を含むテレビ放送信号と私的通信信号に含まれ画像を含む受信信号とを受信し、双方の画像を、前記画面に同時に表示する制御装置とを、備え、
前記私的通信信号が、前記受信信号に加えて送信信号を含む双方向通信信号であり、前記受信信号が、選択肢を表示する信号を含んでおり、
前記制御装置は、
操作者の操作にもとづいて、前記画面上に表示される選択肢を選択する入力操作部と、
前記画面に表示される前記選択肢の中で前記入力部で選択された一部を、拡大して表示させる拡大表示部と、
選択結果を表現する信号を、前記送信信号として送信する送信部と、
を備える画像表示装置。
【請求項１４】
画面に画像を表示する画像再生装置と、
画像を含むテレビ放送信号と私的通信信号に含まれ画像を含む受信信号とを受信し、双方の画像を、前記画面に同時に表示する制御装置とを、備え、
前記制御装置は、
操作者の操作にもとづいて、前記画面中の一部領域と拡大縮小の比率とを指定する入力操作部と、
前記画面に表示される画像の中で、指定された前記一部領域の画像を、指定された前記比率で拡大または縮小して表示させる拡大縮小表示部と、
を備える画像表示装置。
【請求項１５】
画面に画像を表示する画像再生装置と、
画像を含むテレビ放送信号と私的通信信号に含まれ画像を含む受信信号とを受信し、双方の画像を、前記画面に同時に表示する制御装置とを、備え、
前記私的通信信号は前記受信信号に加えて着信を報知する着信信号を含んでおり、
前記制御装置が、
前記テレビ放送信号を記録する記録装置と、
前記着信信号を検出する着信検出部と、
前記着信検出部が前記着信信号を検出すると、これに応答して、前記テレビ放送信号の前記記録装置への記録を開始させる記録制御部と、
を備える画像表示装置。
【請求項１６】
前記私的通信信号がテレビ電話の通信信号である、請求項１ないし請求項１５のいずれかに記載の画像表示装置。
【請求項１７】
請求項１ないし請求項１６のいずれかに記載の制御装置。
【発明の詳細な説明】
【０００１】
【発明の属する技術分野】
この発明は、テレビ放送の受信とテレビ電話等による通信とを並列的に行うのに好適な、画像表示装置およびその主要部としての制御装置に関し、特に、双方の利便性を高めるための改良に関する。
【０００２】
【従来の技術】
はじめに、本明細書で用いる名称について説明する。まず、本明細書では、冗長な説明を避けるために、画像を表現する画像信号をも、等しく「画像」と記載する。同様に、音声を表現する音声信号をも、等しく「音声」と記載する。また、「テレビジョン」を、必要に応じて、「ＴＶ」、あるいは、慣用される「テレビ」と略記する。さらに、「テレビ放送信号」とは、放送局から搬送電波、ケーブルＴＶネット、インタネットなどの通信経路を通じて、公共的に不特定多数に伝送され、放送コンテンツを表現する信号を意味し、「私的通信信号」は、例えばテレビ電話装置による通信を担う通信信号など、通信相手を特定して伝送される一方向または双方向の通信信号を意味する。
【０００３】
従来において、テレビ放送信号を受信し放送コンテンツとしての画像と音声とを再生するテレビ受像装置（テレビジョンセット）と、画像と音声とを特定の相手とやり取りするテレビ電話装置とが、ともに知られている。そして、図２１のブロック図が示すように、相互に接続することにより、テレビ受像装置の画面をテレビ電話装置のモニタ画面として使用することを可能にするテレビ電話装置およびテレビ受像装置も知られている。
【０００４】
図２１が示すテレビ電話装置２００は、通信部２０１、カメラ２２、および、マイク２３を備えている。通信部２０１は、電話回線、インタネットなどの通信経路に接続され、この通信経路から通信信号ＣＳに含まれる受信信号を受信し、受信信号から画像Ｐおよび音声ＡＤを分離した上で、テレビ受像装置３００へ伝達する。通信部２０１は、さらに、カメラ２０２が捕らえた操作者の画像、および、マイク２３が捕らえた操作者の音声を、通信信号ＣＳに含まれる送信信号として通信経路へと送信する。このようにテレビ電話装置２００は、通信相手と双方向の通信を行う。
【０００５】
テレビ受像装置３００は、テレビ放送信号ＢＳを受信し、このテレビ放送信号ＢＣに含まれる画像（「放送画像」と仮称する）を、テレビ受像装置３００に備わる画面３０１に再生するとともに、同じくテレビ受像装置３００に備わる図示しないスピーカなどの音声再生装置を通じて、テレビ放送信号ＢＣに含まれる音声（「放送音声」と仮称する）を再生する。また、テレビ電話装置２００から画像Ｐ（「（受信）電話画像」と仮称する）および音声ＡＤ（「（受信）電話音声」と仮称する）が伝送されるとき、すなわち、テレビ電話装置２００を用いた通信を操作者が行っているときには、操作者の切換操作により、テレビ受像装置３００では、画像Ｐおよび音声ＡＤが再生される。
【０００６】
このように、テレビ受像装置３００は、本来の機能である放送画像および放送音声の再生と、付加的な機能である電話画像Ｐおよび電話音声ＡＤの再生との、双方の機能を果たす装置として利用することが可能である。
【０００７】
【発明が解決しようとする課題】
しかしながら、図２１が示すように、従来のテレビ受像装置とテレビ電話装置とを、画像表示装置として組み合わせたシステムでは、放送画像の再生と、電話画像の再生とを、同時並列に行うことはできないという問題点があった。また、放送信号ＢＣと通信信号ＣＳとを、単一の回線を通じて多重化した形態で受信することができないという問題点があった。
【０００８】
この発明は、従来の技術における上記した問題点を解消するためになされたもので、公共的なテレビ放送の受信とテレビ電話等による私的通信信号を媒介した通信との双方の利便性を高めることのできる画像表示装置およびその主要部を成す制御装置を提供することを目的とする。
【０００９】
【課題を解決するための手段】
第１の発明の装置は、画像表示装置であって、画面に画像を表示する画像再生装置と、画像を含むテレビ放送信号と私的通信信号に含まれ画像を含む受信信号とを受信し、双方の画像を、前記画面に同時に表示する制御装置とを、備え、前記制御装置が、単一の通信回線に多重化された前記テレビ放送信号と前記私的通信信号とを受信し、多重化された双方の信号を分離することにより、前記単一の通信回線から前記テレビ放送信号と前記私的通信信号の前記受信信号とを取り出す信号分離装置を、備える。
【００１０】
第２の発明の装置では、第１の発明の画像表示装置において、前記私的通信信号が前記受信信号に加えて送信信号を含む双方向通信信号であり、前記制御装置が、前記送信信号を前記単一の通信回線に多重化して送信する信号混合装置を、さらに備える。
【００１１】
第３の発明の装置では、第１の発明の画像表示装置において、音声再生装置を、さらに備え、前記私的通信信号は前記受信信号に音声を含むとともに前記受信信号に加えて着信を報知する着信信号を含んでおり、前記制御装置が、前記着信信号を検出する着信検出部と、前記着信検出部が前記着信信号を検出すると、これに応答して、前記私的通信信号の前記受信信号に含まれる音声を、前記テレビ放送信号に含まれる音声よりも高い強度で、前記音声再生装置へ出力する音声混合装置とを、備える。
【００１２】
第４の発明の装置では、第１の発明の画像表示装置において、前記私的通信信号が前記受信信号に加えて着信を報知する着信信号を含んでおり、前記制御装置が、前記着信信号を検出する着信検出部と、前記テレビ放送信号の画像を前記画面に表示しているときに前記着信検出部が前記着信信号を検出すると、これに応答して、双方の画像を前記画面に同時に表示する画像混合装置とを、備える。
【００１３】
第５の発明の装置では、第４の発明の画像表示装置において、前記画像混合装置は、前記着信検出部が前記着信信号を検出すると、これに応答して、前記テレビ放送信号の画像の一部領域を前記私的通信信号の前記受信信号の画像に置き換える形式で、双方の画像を前記画面に同時に表示する。
【００１４】
第６の発明の装置では、第４の発明の画像表示装置において、前記画像混合装置は、前記着信検出部が前記着信信号を検出すると、これに応答して、前記画面の中で異なる大きさに規定される二つの画像領域に前記双方の画像をそれぞれ配置して表示するとともに、前記二つの画像領域の中の最大のものに、前記私的通信信号の前記受信信号の画像を配置する。
【００１５】
第７の発明の装置は、画像表示装置であって、画面に画像を表示する画像再生装置と、画像を含むテレビ放送信号と私的通信信号に含まれ画像を含む受信信号とを受信し、双方の画像を、前記画面に同時に表示する制御装置とを、備え、前記制御装置が、前記テレビ放送信号に関する情報、または、前記私的通信信号に関する情報を、文字で表現する文字信号を生成する表示文字生成部と、前記文字を、前記画面の中に設定された文字表示位置において、前記画面に表示される前記テレビ放送信号または前記私的通信信号の前記受信信号の画像に重ねて表示する画面合成部と、
前記画面に表示される前記画像の中で、動きの少ない部分を前記文字表示位置として決定する表示位置決定部とを、備える。
【００１６】
第８の発明の装置は、第１の発明の画像表示装置であって、前記制御装置が、前記テレビ放送信号に関する情報、または、前記私的通信信号に関する情報を、文字で表現する文字信号を生成する表示文字生成部と、前記文字を、前記画面の中に設定された文字表示位置において、前記画面に表示される前記テレビ放送信号または前記私的通信信号の前記受信信号の画像に重ねて表示する画面合成部と、前記画面に表示される前記画像の中で、別の文字のない部分を前記文字表示位置として決定する表示位置決定部とを、備える。
【００１７】
第９の発明の装置では、第７または第８の発明の画像表示装置において、前記制御装置が、前記文字表示位置での前記画像の色との対比が明瞭な色を前記文字の色として決定する文字配色決定部を、さらに備え、前記表示文字生成部は、前記文字配色決定部が決定した色で前記文字を生成する。
【００１８】
第１０の発明の装置では、第１の発明の画像表示装置において、前記私的通信信号が、前記受信信号に加えて送信信号を含む双方向通信信号であり、前記受信信号と前記送信信号とがいずれも画像を含んでおり、前記制御装置は、前記受信信号の画像、前記送信信号の画像、および、前記テレビ放送信号の画像を、前記画面に同時に表示する。
【００１９】
第１１の発明の装置では、第１０の発明の画像表示装置において、前記受信信号および前記送信信号の双方が、音声を含んでおり、前記制御装置が、前記受信信号の音声と前記送信信号の音声の強度を比較する比較処理部と、前記比較処理部の比較の結果にもとづいて、前記受信信号および前記送信信号の中で前記強度の高い方の信号に属する画像を他方の信号よりも大きく前記画面に表示する変更制御部とを、備える。
【００２０】
第１２の発明の装置は、画像表示装置であって、画面に画像を表示する画像再生装置と、画像を含むテレビ放送信号と私的通信信号に含まれ画像を含む受信信号とを受信し、双方の画像を、前記画面に同時に表示する制御装置とを、備え、前記私的通信信号が、前記受信信号に加えて送信信号を含む双方向通信信号であり、前記制御装置は、操作者の操作にもとづいて文字を入力する入力操作部と、入力された文字群を前記画面に表示する文字表示部と、前記画面に表示されている前記文字群の中で、前記入力部で入力されつつある文字を含む一部を、拡大して表示させる拡大表示部と、入力された前記文字群を表現する文字信号を、前記送信信号として送信する送信部と、を備える。
【００２１】
第１３の発明の装置は、画像表示装置であって、画面に画像を表示する画像再生装置と、画像を含むテレビ放送信号と私的通信信号に含まれ画像を含む受信信号とを受信し、双方の画像を、前記画面に同時に表示する制御装置とを、備え、前記私的通信信号が、前記受信信号に加えて送信信号を含む双方向通信信号であり、前記受信信号が、選択肢を表示する信号を含んでおり、前記制御装置は、操作者の操作にもとづいて、前記画面上に表示される選択肢を選択する入力操作部と、前記画面に表示される前記選択肢の中で前記入力部で選択された一部を、拡大して表示させる拡大表示部と、選択結果を表現する信号を、前記送信信号として送信する送信部と、を備える。
【００２２】
第１４の発明の装置は、画像表示装置であって、画面に画像を表示する画像再生装置と、画像を含むテレビ放送信号と私的通信信号に含まれ画像を含む受信信号とを受信し、双方の画像を、前記画面に同時に表示する制御装置とを、備え、前記制御装置は、操作者の操作にもとづいて、前記画面中の一部領域と拡大縮小の比率とを指定する入力操作部と、前記画面に表示される画像の中で、指定された前記一部領域の画像を、指定された前記比率で拡大または縮小して表示させる拡大縮小表示部と、を備える。
【００２３】
第１５の発明の装置は、画像表示装置であって、画面に画像を表示する画像再生装置と、画像を含むテレビ放送信号と私的通信信号に含まれ画像を含む受信信号とを受信し、双方の画像を、前記画面に同時に表示する制御装置とを、備え、前記私的通信信号は前記受信信号に加えて着信を報知する着信信号を含んでおり、前記制御装置が、前記テレビ放送信号を記録する記録装置と、前記着信信号を検出する着信検出部と、前記着信検出部が前記着信信号を検出すると、これに応答して、前記テレビ放送信号の前記記録装置への記録を開始させる記録制御部と、を備える。
【００２４】
第１６の発明の装置では、第１ないし第１５のいずれかの発明の画像表示装置において、前記私的通信信号がテレビ電話の通信信号である。
【００２５】
第１７の発明の装置は、第１ないし第１６のいずれかの発明の制御装置である。
【００３２】
【発明の実施の形態】
［Ａ．実施の形態の概略］
図１は、本発明の実施の形態に係る画像表示装置の基本構成を示すブロック図である。この画像表示装置４００は、相互に接続されたテレビ電話装置２００、テレビ受像装置３００、および、制御装置３を備えており、放送信号ＢＣおよび通信信号ＣＳの伝送媒体としての通信回線５に接続されている。通信回線５は、有線回線とは限らず、電波を搬送波とする無線回線であってもよい。また、後述するように、通信回線５は、放送信号ＢＣと通信信号ＣＳとの間で別個の回線として構成されてもよく、逆に、単一の回線として構成され、放送信号ＢＣと通信信号ＣＳとの双方を多重化して伝送してもよい。
【００３３】
テレビ受像装置３００は、信号抽出・選択部３０２、画像再生装置１、および、音声再生装置２４を備えている。信号抽出・選択部３０２は、放送信号ＢＣを受信し、一般に複数チャネルの信号を含む放送信号ＢＣの中から（１または複数の）特定の放送信号を選択するとともに、画像および音声を取り出す。制御装置３が接続されずにテレビ受像装置３００が単独で使用されるときには、画像再生装置１は、信号抽出・選択部３０２から送られる画像を自身に備える画面２へ再生し、音声再生装置２４は、信号抽出・選択部３０２から送られる音声を再生する。音声再生装置２４は、例えば、スピーカを備えている。テレビ受像装置３００に制御装置３が接続される図１の形態では、信号抽出・選択部３０２から出力される画像および音声は、制御装置３を経由して画像再生装置１および音声再生装置２４へ伝達される。
【００３４】
テレビ電話装置２００に備わる通信部２０１は、通信回線５に接続され、この通信経路５から通信信号ＣＳに含まれる受信信号を受信し、受信信号から画像および音声を分離した上で、制御装置３へ出力する。通信部２０１は、さらに、カメラ２０２が捕らえた操作者の画像、および、マイク２３が捕らえた操作者の音声を、通信信号ＣＳに含まれる送信信号として通信回線５へと送信する。すなわち、通信信号ＣＳは、画像と音声とを含む双方向通信信号である。
【００３５】
テレビ放送信号ＢＣは、制御装置３を経由してテレビ受像装置３００へ入力されても良い。また、通信信号ＣＳも、制御装置３を介して、通信回線５と通信部２０１との間で授受が行われても良い。
【００３６】
制御装置３は、信号抽出・選択部３０２から放送画像が出力され、同時に、通信部２０１から受信電話画像が出力されるとき、すなわち、操作者がテレビ放送の鑑賞とテレビ電話通信との双方を行っているときに、受信電話画像と放送画像との双方を同時に画面２へ表示するように、画像を合成した上で、画像再生装置１へ伝達する。図１の例では、受信電話画像と放送画像とが、画面２を分割して成る領域２ａおよび領域２ｂへ、それぞれ、表示されている。また、音声については、通信信号ＣＳの受信信号に含まれる音声（受信電話音声）を、放送音声に優先して再生するよう、制御装置３から音声再生装置２４へと音声が伝達される。
【００３７】
また、カメラ２０２が捕らえた操作者の画像（送信電話画像）、および、マイク２３が捕らえた操作者の音声（送信電話音声）を、制御装置３へ入力することも可能である。それにより、制御装置３は、画面２へ、放送画像、および、受信電話画像に加えて、送信電話画像をも同時に表示することが可能となる。また、送信側と受信側との間で、音声の強度を比較して、大きい方の画像を他方に比べて大きく画面２へ表示させることも可能となる。
【００３８】
制御装置３は、さらに、文字入力を可能にするキーボード、リモートコントローラ、ワイヤレスマウス等の入力操作部を備えてもよく、このときには、入力された文字を表現する信号が、通信部２０１を通じて通信回線５へ送信される。
【００３９】
制御装置３、および、これを主要な要素とする画像表示装置４００は、概略において以上のように構成され、動作するので、公共的なテレビ放送の受信とテレビ電話等による私的通信信号を媒介した通信との双方の利便性が高められる。
【００４０】
なお、制御装置３は、テレビ受像装置３００およびテレビ電話装置２００とは独立した別個の製品として製造され、ユーザが、テレビ受像装置３００およびテレビ電話装置２００を接続することによって使用に供されてもよく、テレビ電話装置２００またはテレビ受像装置３００に組み込まれて製品化され、それぞれ、テレビ受像装置３００またはテレビ電話装置２００を接続することによって使用に供されても良い。また、画像表示装置４００が、単一の製品として製造されても良い。
【００４１】
さらに、制御装置３は、信号抽出・選択部３０２をも備えても良い。この形態では、テレビ受像装置３００に備わる信号抽出・選択部３０２は使用されない。この形態では、さらに、テレビ受像装置３００の代わりに、画像再生装置１および音声再生装置２４が制御装置３へ接続されてもよい。
【００４２】
以下の各実施の形態では、画像表示装置４００の様々な機能を実現するための制御装置３の様々な構成例について詳細に説明する。
【００４３】
［Ｂ１．実施の形態１］
図２および図３は、図１に示したように放送画像と受信電話画像とを画面２へ同時に表示するための制御装置３の構成例を示すブロック図である。信号ＢＳ、ＣＳ、ＲＳの伝達経路を表す図２の右端の３本の矢印は、図３において信号ＢＳ、ＣＳ、ＲＳが付された左端の３本の矢印と連続する。図２および図３において、符号３が付された点線で囲まれた部分は、制御装置３に属する部分を示す。同様に、符号２００および３００が付された点線で囲まれた部分は、それぞれ、テレビ電話装置２００およびテレビ受像装置３００に属する部分を示している。
【００４４】
図２の例では、通信回線５は、単一の回線として構成され、放送信号ＢＣと通信信号ＣＳとの双方を多重化して伝送する。通信回線５は、例えば、ＣＡＴＶ（ケーブルテレビ）、衛生デジタル放送、地上波デジタル放送、あるいは、ＣＡＴＶインタネットのための通信回線であり、それによって、テレビ放送信号ＢＣと通信信号ＣＳとを、多重化して伝送する。
【００４５】
放送信号ＢＣと通信信号ＣＳとが単一の通信回線５に多重化されているので、制御装置３には、放送信号ＢＣと通信信号ＣＳの受信信号とを分離して取り出す信号分離装置および、通信信号ＣＳの送信信号をさらに多重化して通信回線５へ送信する信号混合装置が、備わっている。図２の信号分離混合装置６には、信号分離装置および信号混合装置が含まれている。通信信号ＣＳの受信信号が伝送されるチャネルには、テレビ電話の着信を報せる着信信号ＲＳも伝送される。したがって、信号分離混合装置６は、着信信号ＲＳも分離して取り出す。
【００４６】
放送信号ＢＣは、テレビ受像装置３００に備わるチャネル・音声・画像分離装置７によって、チャネル毎の放送画像および放送音声に分離される。分離されたチャネルの中で、操作者が選択する一つあるいは複数のチャネルに属する放送画像および放送音声が、制御装置３に属するスキャンコンバータ１７および音声混合装置１６へ、それぞれ入力される。チャネル・音声・画像分離装置７は、図１の信号抽出・選択部３０２の一例である。
【００４７】
通信信号ＣＳの受信信号は、テレビ電話装置２００に備わる音声画像分離混合装置８によって、受信電話画像と受信電話音声とに分離され、制御装置３に属するスキャンコンバータ１７および音声混合装置１６へ、それぞれ、入力される。音声混合装置１６は、複数の音声の中から一つを選択し、他の音声をそれよりも弱くあるいは消去して、音声再生装置２４へ出力する。また、カメラ２０２が捕らえた送信電話画像、および、マイク２３が捕らえた送信電話音声は、音声画像分離混合装置８を通じて混合され、信号分離混合装置６へ送られる。
【００４８】
送信電話音声は、音声混合装置１６へも送られる。さらに、受信電話音声および送信電話音声は、音声レベル調整部１５を経由して、音声混合装置１６に入力されてもよい。それにより、受信電話音声および送信電話音声が、適度な音量に調整された上で、音声再生装置２４で再生される。
【００４９】
さらに、送信電話画像は、スキャンコンバータ１７にも入力されてもよい。この形態については、後の実施の形態で詳述する。
【００５０】
なお、チャネル・音声・画像分離装置７から出力される信号は、チャネル毎に画像と音声とに分離された形態を有する放送信号ＢＣであり、音声画像分離混合装置８へ入力および出力される信号は、画像と音声とに分離された形態を有する通信信号ＣＳである。このように、信号分離混合装置６、チャネル・音声・画像分離装置７、および、音声画像分離混合装置８は、放送信号ＢＣおよび通信信号ＣＳの形態を変換する。
【００５１】
スキャンコンバータ１７では、画面２へ複数の画像を同時に表示するために、各入力画像のスキャンの形態（走査線密度、画素密度など）を変換する。スキャンコンバータ１７で変換された各画像は、ビデオミキサ１８により混合され、マルチウィンドウコントローラ１９へ送られる。マルチウィンドウコントローラ１９では、画面２の中に複数の領域を設定し、各領域へ各画像を配置する。スキャンコンバータ１７では、マルチウィンドウコントローラ１９の指示にもとづいて、各画像が各領域への配置に適したスキャンの形態へと、あらかじめ変換される。マルチウィンドウコントローラ１９の出力信号は、画像再生装置１へ入力される。
【００５２】
その結果、図１に例示したように、放送画像と受信電話画像とが、画面２に、マルチウィンドウの形式で、同時に表示される。スキャンコンバータ１７に複数チャネルの放送画像が入力されることにより、画面２には、複数チャネルの放送画像と受信電話画像と、マルチウィンドウの形式で同時に表示することも可能である。
【００５３】
着信信号ＲＳは、着信検出部４０へ入力される。着信検出部４０は、着信信号ＲＳにもとづいてテレビ電話の着信を検出する。着信検出部４０が出力する着信検出信号は、例えば、マルチウィンドウコントローラ１９および音声混合装置１６へ入力される。それにより、マルチウィンドウコントローラ１９は、着信信号ＲＳに応答して、画面２への複数画像の表示形式を変更することが可能となる。また、音声混合装置１６も、着信検出信号に応答して、複数の音声の中の一つを選択することが可能となる。これらの例については、後の実施の形態で詳述する。
【００５４】
通信回線５がインタネットのための回線であるときには、放送信号ＢＣの一つのチャネルとして、インタネットを通じて不特定多数に提供される情報の受信信号を含めることも可能である。この例では、画面２は、例えば領域２ａ，２ｂ，２ｃに分割され、それぞれ、受信電話画像、インタネット情報、放送画像が表示される。
【００５５】
図２では、通信回線５が多重化回線である例を示したが、本発明は、この例に限定されるものではない。通信回線５が多重化回線でない場合では、図２は、例えば図５へと置き換えられる。図５の例では、放送信号ＢＣはアナログ回線３０を通じて伝送され、通信信号ＣＳは別のアナログ回線３１を通じて伝送される。アナログ回線３０は、例えば、地上波放送の無線回線である。アナログ回線３１は、例えば、公衆電話回線である。
【００５６】
この形態では、テレビ受像装置３００には、信号抽出・選択部３０２として、放送チューナ３２が備わる。放送チューナ３２からは、チャネル毎に画像および音声に分離されたアナログ形式の放送信号ＢＣが出力される。制御装置３にはアナログデジタル変換部３４が備わっており、アナログ形式の放送信号ＢＣは、アナログデジタル変換部３４を通じて、デジタル形式の放送信号ＢＣへ変換される。
【００５７】
テレビ電話装置２００には、通信送受装置３３が備わっており、通信信号ＣＳに含まれる受信信号は、通信送受装置３３を通じて、受信電話画像と受信電話音声とに分離される。画像と音声とに分離されたアナログ形式の受信信号は、アナログデジタル変換部３４によって、デジタル形式の受信信号へ変換される。また、デジタル形式の送信電話画像および送信電話音声は、アナログデジタル変換部３４を通じてアナログ形式へと変換されて通信送受３３へ入力される。さらに、着信信号ＲＳも、アナログデジタル変換部３４を通じて、アナログ形式からデジタル形式へと変換される。
【００５８】
［Ｂ２．実施の形態２］
本実施の形態では、画面２に放送画像が表示され、音声再生装置２４から放送音声が再生されているとき、すなわち、操作者がテレビ放送を鑑賞しているときに、テレビ電話の着信があると、これに応答して受信電話音声を優先的に再生するように制御装置３が動作する。すなわち、着信後には、放送音声の強度が低く、あるいは、ゼロに抑えられ、それよりも高い強度で受信電話音声が再生される。図６は、この動作を可能にするための制御装置３の一部の構成を示すブロック図である。
【００５９】
この制御装置３には、図３の音声混合装置１６に代えて音声混合装置４１が備わっている。音声混合装置４１には、ゲインが可変の増幅器４２〜４４、および、加算器４５が備わっている。増幅器４４を除く音声混合装置４１の部分が、図３に示した音声混合装置１６に相当する。
【００６０】
増幅器４２〜４４のゲインは、着信検出部４０が出力する着信検出信号によって制御される。すなわち、着信信号ＲＳが受信され、それによって、着信検出信号が着信検出部４０から出力されると、放送音声を増幅する増幅器４２のゲインはオフまたは低減され、受信電話音声を増幅する増幅器４３のゲインは、オフからオンへ切り替えられる。また、送信電話音声を増幅する増幅器４４のゲインも、オフからオンへ切り替えられる。
【００６１】
なお、音声混合装置４１の代わりに、増幅器４４を備えない音声混合装置１６を用いても、着信があったときに、放送音声に優先させて受信電話音声を再生する動作は、実現可能である。また、音声混合装置４１または１６を通過する音声は、デジタル形式であってもアナログ形式であっても良い。信号の経路にアナログデジタル変換回路を適宜配置することにより、経路を伝達する信号の形式を所望の形式とすることが可能である。
【００６２】
［Ｂ３．実施の形態３］
本実施の形態では、画面２に放送画像が表示され、音声再生装置２４から放送音声が再生されているとき、すなわち、操作者がテレビ放送を鑑賞しているときに、テレビ電話の着信があると、これに応答して受信電話画像と放送画像とを画面２へ同時に再生するように制御装置３が動作する。図７は、この動作を例示する模式図である。図７の例では、着信の前には、放送画像が画面２へ表示されており（図７（ａ））、着信があると、放送画像の一部が受信電話画像に置き換わる形式で、双方の画像が同時に表示される（図７（ｂ））。すなわち、着信後には、中央部が切り取られた領域２ａへ放送画像が表示され、切り取られた中央部に該当する領域２ｂに受信電話画像が表示される。
【００６３】
図８は、この動作を可能にするための制御装置３の一部の構成を示すブロック図である。この制御装置３には、図３のスキャンコンバータ１７、および、ビデオミキサ１８に代えて、画像混合装置５１が備わっている。画像混合装置５１には、スイッチ５２，５３、表示位置・サイズ制御部５４，５５、スキャンコンバータ５６，５７、ビデオミキサ５８、および、画像フレームメモリ５９が備わっている。放送画像（一般には複数チャネルに相当する複数画像）は、スイッチ５２によりオンオフ自在に表示位置・サイズ制御部５４へ伝えられ、さらに、スキャンコンバータ５６を経て、ビデオミキサ５８へ伝えられる。一方、受信電話画像は、スイッチ５３によりオンオフ自在に表示位置・サイズ制御部５５へ伝えられ、さらに、スキャンコンバータ５７を経て、ビデオミキサ５８へ伝えられる。
【００６４】
表示位置・サイズ制御部５４，５５は、入力された画像の表示位置、および、サイズを制御する。スキャンコンバータ５６，５７は、表示位置・サイズ制御部５４，５５が指定する表示位置およびサイズに対応するように、入力された画像のスキャンの形態を変換する。ビデオミキサ５８では、画像フレームメモリ５９へ画像を一時保持することにより、双方の画像を混合する。なお、画像フレームメモリ５９なしで、双方の画像を混合するようにビデオミキサ５８を構成することも可能である。
【００６５】
スイッチ５３および表示位置・サイズ制御部５５は、着信検出部４０が出力する着信検出信号によって制御される。すなわち、着信信号ＲＳが受信され、それによって、着信検出信号が着信検出部４０から出力されると、スイッチ５３は、オフからオンへ切り替えられる。それと同時に、表示位置・サイズ制御部５５は、図７の領域２ｂの表示位置およびサイズを指示する。スキャンコンバータ５７は、それにもとづいて、入力された受信電話画像のスキャンの形態を領域２ｂに対応した形態へと変換する。その結果、画面２には、図７（ｂ）に示す形態で、双方の画像が同時に表示される。
【００６６】
［Ｂ４．実施の形態４］
本実施の形態では、画面２の中の大きさの異なる複数領域に、例えばマルチウィンドウの形式で、複数チャネルの放送画像が同時に表示されているとき、すなわち、操作者が複数チャネルのテレビ放送を鑑賞しているときに、テレビ電話の着信があると、これに応答して受信電話画像を最大の領域に表示し、残りの領域に放送画像を表示するように制御装置３が動作する。図９は、この動作を例示する模式図である。図９の例では、着信の前には、複数の放送画像が画面２を分割して成る３個（一般には、複数）の領域２ａ〜２ｃへ表示されている（図９（ａ））。
【００６７】
複数の領域２ａ〜２ｃは、互いに大きさの異なる領域を含むように設定されている。図９の例では、すべての領域の大きさが互いに異なっており、領域２ａ、２ｂ、２ｃの順で大きく設定されている。操作者は、通常において、大きさが最大の領域２ａの放送画像を主に鑑賞する。
【００６８】
テレビ電話の着信があると、大きさが最大の領域２ａに、受信電話画像が表示される（図９（ｂ））。同時に、複数の放送画像は、順送りにより小さい領域へと移動して表示される。
【００６９】
図１０は、この動作を可能にするための制御装置３の一部の構成を示すブロック図である。この制御装置３には、図３のスキャンコンバータ１７、および、ビデオミキサ１８に代えて、画像混合装置６０が備わっている。画像混合装置６０には、スイッチ群６１、表示位置・サイズ制御部６２，６３、スキャンコンバータ６４，６５、ビデオミキサ６７、および、画像フレームメモリ６６が備わっている。複数の放送画像は、スイッチ群６１によりオンオフ自在に表示位置・サイズ制御部６２へ伝えられ、さらに、スキャンコンバータ６４を経て、ビデオミキサ６７へ伝えられる。一方、受信電話画像は、スイッチ群６１によりオンオフ自在に表示位置・サイズ制御部６３へ伝えられ、さらに、スキャンコンバータ６５を経て、ビデオミキサ６７へ伝えられる。
【００７０】
表示位置・サイズ制御部６２，６３は、入力された画像の表示位置、および、サイズを制御する。スキャンコンバータ６４，６５は、表示位置・サイズ制御部６２，６３が指定する表示位置およびサイズに対応するように、入力された画像のスキャンの形態を変換する。ビデオミキサ６７では、画像フレームメモリ６６へ画像を一時保持することにより、双方の画像を混合する。なお、画像フレームメモリ６６なしで、双方の画像を混合するようにビデオミキサ６７を構成することも可能である。
【００７１】
スイッチ群６１および表示位置・サイズ制御部６２，６３は、着信検出部４０が出力する着信検出信号によって制御される。すなわち、着信信号ＲＳが受信されず、着信検出部４０が着信検出信号を出力しないときには、スイッチ群６１は、複数（図９の例では３個）の放送画像を表示位置・サイズ制御部６２へ伝える。また、表示位置・サイズ制御部６２は、複数の放送画像の表示位置およびサイズとして、例えば図９（ａ）の領域２ａ，２ｂ，２ｃに対応した表示位置およびサイズを指示する。さらに、スイッチ群６１は、受信電話画像を表示位置・サイズ制御部６３へ伝達しない。
【００７２】
一方、着信信号ＲＳが受信され、それによって、着信検出信号が着信検出部４０から出力されると、スイッチ群６１は、複数の放送画像の中で大きさが最小の領域（図９の例では領域２ｃ）に表示されていた放送画像の伝達を中止する。それと同時、スイッチ群６１は、受信電話画像の伝達を開始する。表示位置・サイズ制御部６２は、大きさが最大の領域２ａを除く他の領域２ｂ，２ｃの表示位置およびサイズを、入力された放送画像に対して指示する。また、表示位置・サイズ制御部６３は、大きさが最大の領域２ａの表示位置およびサイズを受信電話画像に対して指示する。その結果、図９（ｂ）に例示する画像表示が実現する。
【００７３】
［Ｂ５．実施の形態５］
本実施の形態では、放送画像または受信電話画像、あるいは、それら双方が捧持されている画面２へ、放送信号ＢＣまたは通信信号ＣＳに関する情報を表現する文字を重ねて表示する（いわゆる、スーパーインポーズする）ように制御装置３が動作する。しかも、文字は、背景となる画像の動き、および、他の文字の有無を考慮して、画面２の適切な部位に表示される。すなわち、文字を表示すべき部位として、画像の動きの少ない部位、および、画像の中に文字が存在しない部位が選択される。あるいは、文字の色が、背景となる画像の色を考慮して、対比が明瞭となるように選定される。ここで、「色」を選択する際には、明度を固定して、色彩のみを選択しても良く、色彩を固定して明度を選択してもよく、あるいは、いずれをも固定せず、それら双方の幅広い組み合わせの中から選択しても良い。
【００７４】
図１１および図１２は、以上の動作を例示する模式図である。図１１の例では、放送信号ＢＣに関する情報であるチャネル番号「２Ｃｈ」が、背景との対比が明瞭な色で表示されている。図１２の例では、チャネル番号「２Ｃｈ」が、放送画像の一部としての時刻を表現する文字「１０：００」から離れた部位に表示されている。
【００７５】
図１３は、以上の動作を可能にするための制御装置３の一部の構成を示すブロック図である。この制御装置３には、図２（または図５）および図３の構成に加えて、図１３に示す画像フレームメモリ７０、色検出部７１、動き検出部７２、文字検出部７７、表示位置決定部７３、文字配色決定部７４、表示文字生成部７５、および、画面合成部７６が備わっている。
【００７６】
画像フレームメモリ７０は、例えば、図３のマルチウィンドウコントローラ１９と画像再生装置１の間に介挿される。画像フレームメモリ７０には、表示すべき複数フレームの画像が絶えず更新されつつ保持されている。色検出部７１は、文字を表示すべき部位の画像の色を検出する。動き検出部７２は、文字を表示すべき部位の画像の動きを検出する。動き検出部７２は、複数フレームの間で画像を比較する周知の技術を用いて、動きを検出する。また、文字検出部７７は、文字を表示すべき部位の画像に文字が含まれているか否かを判定する。文字検出部７７は、周知の画像認識技術を用いて文字の存在を判定する。各検出部７１，７２，７７は、文字を表示すべき部位として、複数部位、あるいは、画面全体にわたる全ての部位を順に選択し、それぞれについて、検出を行う。
【００７７】
表示位置決定部７３は、各検出部７１，７２，７７による検出結果にもとづいて、文字を表示すべき位置を決定する。すなわち、動きの少ない部位、および、文字の存在しない部位が、文字を表示すべき位置（文字表示位置）として決定される。文字配色決定部７４は、決定された文字表示位置における画像の色に関する情報を、色検出部７１から受け取り、画像の色に対して視覚上、対比が明瞭な色を表示すべき文字の色として決定する。対比が明瞭な色として、例えば、反対色の関係にある色彩、逆転した関係にある明度が選択される。
【００７８】
表示文字生成部７５は、表示すべき文字を生成する。例えば、放送信号ＢＣに関して、放送チャネルの番号、通信信号ＣＳに関して、通話の相手の電話番号などが、表示すべき文字として生成される。しかも、表示文字生成部７５は、文字配色決定部７４で決定された色で、表示すべき文字を生成する。
【００７９】
画面合成部７６は、画像フレームメモリ７０に記憶される画像フレームの中で、次に画像再生装置１へ送り出して表示すべき画像フレームに対して、表示位置決定部７３で決定された文字表示位置に、表示文字生成部７５が生成した文字を配置する。それにより、画像再生装置１の画面２には、図１１または図１２が例示する形態で、文字が画像に重ねて表示される。文字表示位置および文字の色は、画像の状態に追随して、変化する。
【００８０】
なお、本実施の形態の制御装置３は、放送信号ＢＣと通信信号ＣＳの双方を受信する画像表示装置４００だけでなく、画像を含む単一の信号を受信し、画像再生装置１の画面２へ表示する装置に対しても、適用可能である。例えば、放送信号ＢＣのみを受信し、通信信号ＣＳの受信が予定されないテレビ受像装置３００に組み込まれ、画面２には放送画像のみが表示され、この放送画像に図１１または図１２に例示した形態で文字が表示されるように、制御装置３を構成することも可能である。
【００８１】
［Ｂ６．実施の形態６］
本実施の形態では、図１４および図１５に例示するように、画面２には、放送画像、受信電話画像（相手画像）、および、送信電話画像（自画像）が、同時に表示される。そして、テレビ電話の通信相手と操作者との間で、音声の強度の高い方の画像が、他方よりも大きく表示される。
【００８２】
図１４の例では、画面２の中の背景領域としての領域２ａに放送画像が表示され、その一部が置き換わる形式で、領域２ｂに自画像、領域２ｃに相手画像が表示される。そして、操作者が相手よりも音声強度が高くなると、相手画像は小さく、自画像は大きく表示され（図１４（ａ））、逆に、相手が操作者よりも音声強度が高くなると、相手画像が大きく、自画像は小さく表示される（図１４（ｂ））。双方の画像は、位置を変更することなく、大きさのみが変化する。
【００８３】
これに対して、図１５の例では、画面２が、大きな領域２ａおよび小さな領域２ｂ，２ｃに分割されており、放送画像は、小さな領域２ｃに表示され、相手画像と自画像は、それぞれの音声の強度に応じて、大きな領域２ａと小さな領域２ｂとの間で、交互に入れ替わる。操作者が相手よりも音声強度が高くなると、自画像は領域２ａに表示され、相手画像は領域２ｂに表示される（図１５（ａ））。逆に、相手が操作者よりも音声強度が高くなると、相手画像が領域２ａに表示され、自画像は領域２ｂに表示される（図１５（ｂ））。すなわち、双方の画像は、表示位置を変更することによって、大きさを変更する。
【００８４】
図１６は、図１４または図１５の動作を可能にするための制御装置３の一部の構成を示すブロック図である。この制御装置３には、図３のスキャンコンバータ１７およびビデオミキサ１８に代えて変更制御部８１が備わり、さらに、比較処理部８０が備わっている。
【００８５】
変更制御部８１には、表示位置・サイズ制御部８２，８３，８４、スキャンコンバータ８５，８６，８７、ビデオミキサ８９、および、画像フレームメモリ８８が備わっている。放送画像は、表示位置・サイズ制御部８２へ伝えられ、さらに、スキャンコンバータ８５を経て、ビデオミキサ８９へ伝えられる。受信電話画像は、表示位置・サイズ制御部８３へ伝えられ、さらに、スキャンコンバータ８６を経て、ビデオミキサ８９へ伝えられる。また、送信電話画像は、表示位置・サイズ制御部８４へ伝えられ、さらに、スキャンコンバータ８７を経て、ビデオミキサ８９へ伝えられる。
【００８６】
表示位置・サイズ制御部８２〜８４は、入力された画像の表示位置、および、サイズを制御する。スキャンコンバータ８５〜８７は、表示位置・サイズ制御部８２〜８４が指定する表示位置およびサイズに対応するように、入力された画像のスキャンの形態を変換する。ビデオミキサ８９では、画像フレームメモリ８８へ画像を一時保持することにより、双方の画像を混合する。なお、画像フレームメモリ８８なしで、双方の画像を混合するようにビデオミキサ８９を構成することも可能である。
【００８７】
比較処理部８０は、受信電話音声（相手音声）と送信電話音声（自音声）との間で、強度の比較を行う。表示位置・サイズ制御部８３，８４は、比較処理部８０での比較の結果に応じて、相手画像と自画像とを、図１４または図１５に示した形態で表示すべく、双方の画像の表示位置および／または表示サイズを変更する。その結果、図１４または図１５に例示する画像表示が実現する。
【００８８】
なお、本実施の形態の制御装置３は、放送信号ＢＣと通信信号ＣＳの双方を受信する画像表示装置４００だけでなく、通信信号ＣＳのみを受信し、画像再生装置１の画面２へ表示する装置に対しても、適用可能である。例えば、通信信号ＣＳのみを受信し、放送信号ＢＣの受信が予定されないテレビ電話装置２００に組み込まれ、画面２には受信電話画像および送信電話画像のみが図１４または図１５に例示した形態で表示されるように、制御装置３を構成することも可能である。
【００８９】
［Ｂ７．実施の形態７］
本実施の形態では、通信信号ＣＳが文字を表現する文字信号、または、選択肢を表示する信号を含むことを前提とし、操作者の操作により文字の入力、または、画面２に表示される選択肢の中での選択が可能なように、制御装置３が構成される。しかも、図１７に例示するように、画面に表示されている文字群の中で入力されつつある文字を含む一部、あるいは、画面に表示される選択肢の中で選択された一部が、拡大して表示される。
【００９０】
図１７の例では、画面２がマルチウィンドウの形式で領域２ａ，２ｂ，２ｃに分割されており、領域２ａが入力される文字群を表示する領域に割り当てられている。領域２ｂには相手画像が表示され、領域２ｃには放送画像が表示されている。領域２ａに表示される文字群は、操作者がテレビ電話の通信相手へ送信するために入力した文字群である。その中で、操作者が入力しつつある文字を含む最下行だけが、拡大して表示される。
【００９１】
また、図示を略するが、通信信号ＣＳの受信信号に含まれる選択肢を表現する信号によって、図１７の領域２ａに、例えば、複数行にわたる選択肢が表示され（図１７の３行の文字列を、３通りの選択肢の表示と読み替えるとよい）、その中の一部（例えば、読み替えられた図１７の最下段の選択肢）を操作者が選択すると、選択された一部の選択肢が（図１７が示すように）拡大して表示される。
【００９２】
これにより、操作者は、楽に文字入力、あるいは、選択肢の選択を行うことができる。特に、放送画像の表示が可能な画面２を用いて、放送画像の鑑賞の合間にテレビ電話を通じて、文字入力、あるいは、選択肢の選択を行う際には、画面２と操作者との間の距離が大きい場合が多い。しかしながら、入力文字を含む文字群の一部、あるいは、選択肢の中の選択された一部が拡大表示されるので、操作者は、画面２との距離をそのまま保ちつつ、入力文字、あるいは、選択内容を、目視により確認することが可能となる。
【００９３】
本実施の形態では、入力されつつある文字を含む一部の文字群、あるいは、選択された一部の選択肢だけでなく、操作者の操作によって、文字群の中の所望の一部、あるいは、選択肢の中の所望の一部を、拡大あるいは縮小表示することも可能なように、制御装置３が構成される。例えば、図１７の例では、操作者は、最上行の文字列を指定して拡大を指示することにより、最上行の文字列のみを選択的に拡大表示させることが可能である。
【００９４】
図１８は、以上の動作を可能にするための制御装置３の一部の構成を示すブロック図である。この制御装置３には、図２（または図５）および図３の構成に加えて、図１８に示す入力操作部９０、文字表示部９１、拡大（縮小）表示部９５、画像フレームメモリ１００、メモリ１０１、および、送信部１０２が備わっている。各種映像表示処理部９９は、図３のスキャンコンバータ１７、ビデオミキサ１８、および、マルチウィンドウコントローラ１９に該当する。あるいは、各種映像表示処理部９９は、実施の形態３の画像混合装置５１（図７）、実施の形態４の画像混合装置６０（図１０）、または、実施の形態６の変更制御部８１（図１６）であってもよい。
【００９５】
入力操作部９０は、文字入力、選択肢の選択、あるいは、拡大（縮小）表示の指定を可能にする入力装置であり、例えばキーボードおよびマウスを含んでいる。文字表示部９１は、入力操作部９０の操作にもとづいて、画面２への文字の入力、選択肢の選択、あるいは、拡大（縮小）表示の指示を行う装置部である。
【００９６】
画面２へ文字を入力するには、入力操作部９０の操作にもとづいて位置決定部９３が定めた画面２の中の位置に、入力操作部９０の操作にもとづいて指示された文字が、文字入力部９３によって入力される。すなわち、フレームメモリ１００に記憶される画像の中の対応する部位に、文字が書き込まれる。文字の位置は、拡大（縮小）演算部９６へ伝えられる。
【００９７】
拡大（縮小）演算部９６は、位置決定部９３が伝える位置情報にもとづいて、画像フレームメモリ１００に記憶される画像の中の入力中の文字が属する行に相当する領域を拡大する。拡大のための演算は、画像フレームメモリ１００に記憶される画像の中の該当領域を画像フレームメモリ９７へ写し取り、画像フレームメモリ９７を演算用バッファとして用いることによって遂行される。拡大が行われた後の画像フレームメモリ９７の内容は、その後、画像フレームメモリ１００へ書き戻される。以上の動作により、入力中の文字を含む行の拡大表示が実現する。
【００９８】
入力された文字は、画面２へ表示されると同時に、メモリ１０１へ書き込まれる。そして、操作者の指示があれば、これに応答して、メモリ１０１から送信部１０２へと送出される。送信部１０２は、例えば、図２の信号分離混合装置６へ、メモリ１０１に一時的に保持される文字群を送出する。これにより、入力された文字群がテレビ電話の通信相手へ送信される。
【００９９】
選択肢を選択する際には、まず、画面２へ選択肢が表示される。選択肢を表現する信号は、例えば、受信電話画像の中に画像の一部として含まれる。操作者は、入力操作部９０を操作することにより、画面２に表示される選択肢の一部を選択すべく指示する。位置決定部９３は、入力操作部９０の操作にもとづいて、どの選択肢（１個または複数）が選択されたかを決定する。位置決定部９３が出力する位置情報は、拡大（縮小）演算部９６へも伝えられる。拡大（縮小）演算部９６は、この位置情報にもとづいて、画像フレームメモリ１００に記憶される画像の中の選択された一部の選択肢が表示される領域を拡大する。拡大が行われた後の画像フレームメモリ９７の内容は、その後、画像フレームメモリ１００へ書き戻される。以上の動作により、選択された一部の選択肢の拡大表示が実現する。
【０１００】
位置決定部９３が出力する位置情報は、選択結果を表現する信号、すなわち、どの選択肢が選択されたかを表現する信号として、メモリ１０１へも記憶される。そして、操作者の指示があれば、これに応答して、メモリ１０１から送信部１０２へと送出される。これにより、選択結果がテレビ電話の通信相手へ送信される。
【０１０１】
画面２に表示される文字群の中の任意の一部を拡大または縮小して表示するためには、操作者は入力操作部９０を操作することにより、画面２の中の拡大または縮小すべき領域と、拡大および縮小の比率とを指定する。指定された領域に関する情報は位置決定部９３により拡大（縮小）演算部９６へ伝えられ、拡大または縮小の比率に関する情報は操作判別部９４によって拡大（縮小）演算部９６へ伝えられる。
【０１０２】
拡大（縮小）演算部９６は、これらの情報にもとづいて、画像フレームメモリ１００に記憶される画像の中の指定された領域を、指定された比率で拡大または縮小する。拡大または縮小が完了した後の画像フレームメモリ９７の内容は、その後、画像フレームメモリ１００へ書き戻される。以上の動作により、画面２の中の指定された領域に対する指定された比率による拡大表示または縮小表示が実現する。
【０１０３】
［Ｂ８．実施の形態８］
本実施の形態では、画面２に放送画像が表示され、音声再生装置２４から放送音声が再生されているとき、すなわち、操作者がテレビ放送を鑑賞しているときに、テレビ電話の着信があると、これに応答して再生中の放送信号ＢＣ、すなわち、再生中の画像および音声の記録が開始されるように、制御装置３が動作する。操作者は、例えば、テレビ電話による通話が終了した後に、記録された画像および音声を再生することにより、通話中に鑑賞が中断した放送内容を鑑賞することが可能となる。
【０１０４】
図１９は、この動作を可能にするための制御装置３の一部の構成を示すブロック図である。この制御装置３には、図２（または図５）および図３の構成に加えて、図１９に示す記録制御部１１１および音声画像記録装置１１０が備わっている。合成・切換処理等部１１２は、図３のスキャンコンバータ１７、ビデオミキサ１８、および、マルチウィンドウコントローラ１９に該当する。あるいは、合成・切換処理等部１１２は、実施の形態３の画像混合装置５１（図７）、実施の形態４の画像混合装置６０（図１０）、または、実施の形態６の変更制御部８１（図１６）であってもよい。映像音声入出力部１１３は、図３の画像再生装置１、音声再生装置２４、カメラ２２、および、マイク２３に該当する。
【０１０５】
記録制御部１１１は、着信信号ＲＳが受信され、それにより着信検出部４０から着信検出信号が出力されると、これに応答して、現在再生中の放送信号ＢＣの音声画像記録装置１１０への記録を開始する。放送信号ＢＣの記録は、テレビ電話による通信の完了を検知することによって、通信が完了した時点で自動的に終了してもよく、操作者が操作するまで継続されても良い。
【０１０６】
テレビ電話の着信があったときに複数チャネルの放送画像が再生中である場合には、再生中の複数チャネルの放送信号ＢＣが記録される。音声画像記録装置１１０は、例えば、ビデオテープレコーダ（ＶＴＲ）、あるいは、ＨＤＲなどを備える。
【０１０７】
［Ｂ９．変形例］
以上の実施の形態では、通信信号ＣＳは、テレビ電話装置２００による通信を媒介する通信信号である例を示したが、テレビ電話装置２００の代わりに、図２０に例示するように、監視カメラ２５０（図２０（ａ））、遠隔操作器２５１（図２０（ｂ））、あるいは、テレビドアホン２５２（図２０（ｃ））による通信を媒介する通信信号であっても良い。
【０１０８】
すなわち、図１において、テレビ電話装置２００が、監視カメラ２５０、遠隔操作器２５１、あるいは、テレビドアホン２５２に置き換えられても良い。図２０には、各端末について、やり取りされる信号の種類、および、方向が同時に描かれている。すなわち、制御装置３が処理の対象とする通信信号ＣＳは、一般に、少なくとも受信信号に、画像を含む私的通信信号であればよい。
【０１０９】
【発明の効果】
第１の発明の装置では、画面にテレビ放送の画像と私的通信の画像とが同時に表示されるので、双方の通信の利用に際しての利便性が高められる。また、信号分離装置が備わるので、双方の信号が多重化された通信回線へ接続して使用することができる。
【０１１０】
第２の発明の装置では、信号混合装置が備わるので、テレビ放送信号と双方向の私的通信信号とが多重化された通信回線へ接続して使用することが可能である。
【０１１１】
第３の発明の装置では、着信信号に応答して、テレビ放送の音声よりも強度を高くして私的通信の音声が再生されるので、利便性がさらに高められる。
【０１１２】
第４の発明の装置では、着信信号に応答して、テレビ放送の画像と私的通信の画像とが同時に表示されるので、利便性がさらに高められる。
【０１１３】
第５の発明の装置では、着信信号に応答して、テレビ放送の画像の一部が私的通信の画像に置き換えられるので、利便性がさらに高められる。
【０１１４】
第６の発明の装置では、着信信号に応答して、テレビ放送の画像と私的通信の画像とが画面分割の形式で同時に表示され、しかも、最大領域に私的通信の画像が表示されるので、利便性がさらに高められる。
【０１１５】
第７の発明の装置では、テレビ放送信号または私的通信信号に関する情報を表現する文字が、それらの信号によって表示される画像に重ねて表示され、文字表示位置が、画像の動きの少ない部分に決定されるので、視覚上、文字の認識が容易となる。
【０１１６】
第８の発明の装置では、文字表示位置が、他の文字のない部分に決定されるので、視覚上、文字の認識が容易となる。
【０１１７】
第９の発明の装置では、文字の色が、背景となる文字表示位置での画像の色との対比が明瞭な色に決定されるので、視覚上、文字の認識が容易となる。
【０１１８】
第１０の発明の装置では、テレビ放送の画像、および、双方向の私的通信の自画像と相手画像が、同時に表示されるので、利便性がさらに高められる。
【０１１９】
第１１の発明の装置では、私的通信の相手側と自分側との間で、音声の強度の高い方の画像が他方よりも大きく表示されるので、利便性がさらに高められる。
【０１２０】
第１２の発明の装置では、私的通信を通じて文字を送信する際に、入力された文字群の中で入力されつつある文字を含む一部（例えば、入力中の行）が拡大して表示されるので、利便性がさらに高められる。特に、テレビ放送を鑑賞するときの操作者と画面との間の距離をそのまま保ったままでの文字の入力が容易となる。
【０１２１】
第１３の発明の装置では、私的通信を通じて、選択肢を選択する際に、選択肢の中で選択した一部が拡大して表示されるので、利便性がさらに高められる。特に、テレビ放送を鑑賞するときの操作者と画面との間の距離をそのまま保ったままでの選択操作が容易となる。
【０１２２】
第１４の発明の装置では、操作者の操作にもとづいて、画面の中の所望の領域を所望の比率で拡大および縮小することができるので、利便性がさらに高められる。
【０１２３】
第１５の発明の装置では、私的通信の着信があると、これに応答してテレビ放送信号の記録が開始されるので、利用者は私的通信によって鑑賞が中断したテレビ放送の内容を、後刻に鑑賞することが可能となる。
【０１２４】
第１６の発明の装置では、私的通信信号がテレビ電話の通信信号であるので、テレビ電話とテレビ放送との双方の利用に関する利便性が高められる。
【０１２５】
第１７の発明の装置では、第１ないし第１６の発明の画像表示装置を構成することができ、それにより、利便性の高い通信の利用が可能となる。
【図面の簡単な説明】
【図１】実施の形態の画像表示装置の基本構成を示すブロック図である。
【図２】実施の形態１の制御装置の構成の一部のブロック図である。
【図３】実施の形態１の制御装置の構成の残りの一部のブロック図である。
【図４】実施の形態１の画像表示装置の動作を示す模式図である。
【図５】実施の形態１の制御装置の他の構成例を示すブロック図である。
【図６】実施の形態２の制御装置の構成の一部のブロック図である。
【図７】実施の形態３の画像表示装置の動作を示す模式図である。
【図８】実施の形態３の制御装置の構成の一部のブロック図である。
【図９】実施の形態４の画像表示装置の動作を示す模式図である。
【図１０】実施の形態４の制御装置の構成の一部のブロック図である。
【図１１】実施の形態５の画像表示装置の動作を示す模式図である。
【図１２】実施の形態５の画像表示装置の動作を示す模式図である。
【図１３】実施の形態５の制御装置の構成の一部のブロック図である。
【図１４】実施の形態６の画像表示装置の動作を示す模式図である。
【図１５】実施の形態６の画像表示装置の動作を示す模式図である。
【図１６】実施の形態６の制御装置の構成の一部のブロック図である。
【図１７】実施の形態７の画像表示装置の動作を示す模式図である。
【図１８】実施の形態７の制御装置の構成の一部のブロック図である。
【図１９】実施の形態８の制御装置の構成の一部のブロック図である。
【図２０】変形例の画像表示装置の構成の一部のブロック図である。
【図２１】従来の画像表示装置の構成を示すブロック図である。
【符号の説明】
１  画像再生装置
２  画面
３  制御装置
５，３０，３１  通信回線
６  信号分離混合装置（信号混合装置；信号分離装置）
１６，４１  音声混合装置
２４  音声再生装置
４０  着信検出部
５１，６０  画像混合装置
７３  表示位置決定部
７４  文字配色決定部
７５  表示文字生成部
７６  画面合成部
８０  比較処理部
８１  変更制御部
９０  入力操作部
９１  文字表示部
９５  拡大（縮小）表示部（拡大表示部；拡大縮小表示部）
１０２  送信部
１１０  記録装置
１１１  記録制御部
２００  テレビ電話装置
４００  画像表示装置
ＢＳ  テレビ放送信号
ＣＳ  通信信号（私的通信信号）
ＲＳ  着信信号
【図１】
0003544152.tif 000002
【図２】
0003544152.tif 000003
【図３】
0003544152.tif 000004
【図４】
0003544152.tif 000005
【図５】
0003544152.tif 000006
【図６】
0003544152.tif 000007
【図７】
0003544152.tif 000008
【図８】
0003544152.tif 000009
【図９】
0003544152.tif 000010
【図１０】
0003544152.tif 000011
【図１１】
0003544152.tif 000012
【図１２】
0003544152.tif 000013
【図１３】
0003544152.tif 000014
【図１４】
0003544152.tif 000015
【図１５】
0003544152.tif 000016
【図１６】
0003544152.tif 000017
【図１７】
0003544152.tif 000018
【図１８】
0003544152.tif 000019
【図１９】
0003544152.tif 000020
【図２０】
0003544152.tif 000021
【図２１】
0003544152.tif 000022